(57)【要約】      （修正有）【課題】容易に離脱することなく、確実に提示物が保持されると共に、提示物の掲示に好適であり、かつ、提示物を重ねて挟持して提示物を更新することのできる提示用クリップを提供する。【解決手段】壁面に取り付けて掲示物を保持すると共に、掲示物を囲繞する枠体３０を備える掲示用クリップ１０であって、枠体の一端側を挟持部として、挟持部は壁面側に固定される挟持基板と、挟持基板に挟着状に付勢される押圧挟持板とを有し、挟持基板は、掲示物を突き刺して保持する保持針２４ａを表面側に突出させて形成するように構成した。【選択図】図２
0003193560.tif 000002
【実用新案登録請求の範囲】
【請求項１】
壁面に取り付けて掲示物を保持すると共に、前記掲示物を囲繞する枠体を備える掲示用クリップであって、
前記枠体の一端側を挟持部として、前記挟持部は壁面側に固定される挟持基板と、前記挟持基板に挟着状に付勢される押圧挟持板とを有し、
前記挟持基板は、前記掲示物を突き刺して保持する保持針を表面側に突出させて形成されてなることを特徴とする掲示用クリップ。
【請求項２】
前記保持針は、前記挟持基板の裏面から表面側に画鋲針を突出させて形成してなることを特徴とする請求項１に記載の掲示用クリップ。
【請求項３】
前記挟持基板及び前記枠体は、画鋲にて壁面に取り付けられてなることを特徴とする請求項１又は２に記載の掲示用クリップ。
【請求項４】
前記枠体の他端側に、前記掲示物を挟持する前記挟持基板及び前記押圧挟持板とを備えることを特徴とする請求項１乃至３の何れか一に記載の掲示用クリップ。
【請求項５】
前記枠体の他端側に、前記掲示物を保持するストッパー部を備えることを特徴とする請求項１乃至３の何れか一に記載の掲示用クリップ。
【考案の詳細な説明】
【技術分野】
【０００１】
本考案は、例えば、学校や公共施設等の掲示板等に掲示される掲示物を挟持して掲示するための掲示用クリップに関する。
【背景技術】
【０００２】
従来、紙を挟むためのクリップとしては、例えば、実開平６−５７６７３号公報（特許文献１）に記載のものが公知である。
【０００３】
前記特許文献１に記載のクリップは、紙等を挟む部分の一方に針または刃物を備えたクリップであって、紙挟みやクリップ等の直接挟む部分の一方に針または刃物を備えており、クリップの上板に前記針又は前記刃物を先端を内向きに、また前記刃物の場合刃先を右向きに固定するものであり、メモ紙は常にバネにより下板と、針又は刃物の先端で挟まれているので、挟み込まれたメモ紙の一番上の紙は常に針又は刃物の鋭い先端部分で切り裂かれるだけで、クリップを開かなくても、片手で簡単にもぎり取ることができるよう構成されている。
【先行技術文献】
【特許文献】
【０００４】
【特許文献１】実開平６−５７６７７３号公報
【考案の概要】
【考案が解決しようとする課題】
【０００５】
しかしながら、前記クリップは、単に挟む紙等を針で貫通させて止めているだけであって、挟まれた紙等を支持する支持力は十分ではない。また、針だけで留められているので、挟まれた紙等に少しの力を加えるだけで容易に離脱してしまう。さらに、前記構成からなるクリップは、形状等からも、掲示用のクリップには適さない。
【０００６】
また、前記クリップは、クリップ本体と針部とを一体的に形成しているため、構造が複雑となり、製造コストがかかるものとなる。
【０００７】
本考案は、かかる点に鑑みてなされたものであり、その目的とするところは、容易に離脱することなく、確実に提示物が保持されると共に、提示物の掲示に好適であり、かつ、提示物を重ねて挟持して提示物を更新することのできる提示用クリップを提供すると共に、前記掲示用クリップに提示物の周囲を囲繞する額縁部を備えることによって、掲示物をより目立たせ、また興趣性に富む提示用クリップを提供することにある。
ことにある。
【０００８】
また、本考案の他の目的は、前記クリップは、クリップ本体と針部とを別体に形成し、かつ前記針部を一般的な形状の画鋲を組み込むこととして、構造を簡単にし、製造コストを削減することのできる提示用クリップを提供することにある。
【課題を解決するための手段】
【０００９】
請求項１に係る掲示用クリップは、壁面に取り付けて掲示物を保持すると共に、前記掲示物を囲繞する枠体を備える掲示用クリップであって、前記枠体の一端側を挟持部として、前記挟持部は壁面側に固定される挟持基板と、前記挟持基板に挟着状に付勢される押圧挟持板とを有し、前記挟持基板は、前記掲示物を突き刺して保持する保持針を表面側に突出させて形成されてなることを特徴とする。
【００１０】
請求項１に係る掲示用クリップにあっては、壁面に取り付けて掲示物を保持すると共に、前記掲示物を囲繞する枠体を備える掲示用クリップであって、前記枠体の一端側を挟持部として、前記挟持部は壁面側に固定される挟持基板と、前記挟持基板に挟着状に付勢される押圧挟持板とを有し、前記挟持基板は、前記掲示物を突き刺して保持する保持針を表面側に突出させて形成されているので、前記提示物を重ねて前記保持針に突き刺して、前記押圧面にて押圧挟持して提示物をいちいち取り外すことなく、前記掲示物の上から新しい掲示物を突き刺すことにより、前記掲示物を更新することができ、さらに、前記掲示用クリップに提示物の周囲を囲繞する枠体からなる額縁部を備えることによって、掲示物をより目立たせ、また興趣性に富むものとすることができる。
【００１１】
請求項２に係る掲示用クリップは、請求項１に記載の掲示用クリップにおいて、前記保持針は、前記挟持基板の裏面から表面側に画鋲針を突出させて形成してなることを特徴とする。
【００１２】
請求項２に係る掲示用クリップにあっては、掲示用クリップに形成される前記保持針が、市販されている汎用の画鋲を用いることにより形成されるため、製造コストの低減を図ることができる。
【００１３】
請求項３に係る掲示用クリップは、請求項１又は２に記載の掲示用クリップにおいて、前記挟持基板及び前記枠体は、画鋲にて壁面に取り付けられてなることを特徴とする。
【００１４】
請求項３に係る掲示用クリップにあっては、壁面の取り付けを市販されている汎用の画鋲にて行うことができるので、取り付けが容易に、かつ、安価に行うことができる。
【００１５】
請求項４に係る掲示用クリップは、請求項１乃至３の何れか一に記載の掲示用クリップにおいて、前記枠体の下辺に、前記掲示物を挟持する前記挟持基板及び前記押圧挟持板とを備えることを特徴とする。
【００１６】
請求項４に係る掲示用クリップにあっては、前記掲示物の保持をより確実に行うことができる。
【００１７】
請求項５に係る掲示用クリップは、請求項１乃至３の何れか一に記載の掲示用クリップにおいて、前記枠体の下辺に、前記掲示物を保持するストッパー部を備えることを特徴とする。
【００１８】
請求項５に係る掲示用クリップにあっては、前記掲示物の保持をより確実に行うことができる。
【考案の効果】
【００１９】
請求項１に記載の掲示用クリップによれば、壁面に取り付けて掲示物を保持すると共に、前記掲示物を囲繞する枠体を備える掲示用クリップであって、前記枠体の一端側を挟持部として、前記挟持部は壁面側に固定される挟持基板と、前記挟持基板に挟着状に付勢される押圧挟持板とを有し、前記挟持基板は、前記掲示物を突き刺して保持する保持針を表面側に突出させて形成されているので、前記保持針に突き刺されて保持された掲示物は、前記掲示用クリップから容易に離脱することなく、確実に提示物が保持されると共に、前記保持針が前記挟持基板から表面側に突出させているので、前記提示物を重ねて前記保持針に突き刺して、前記押圧面にて押圧挟持して提示物をいちいち取り外すことなく、前記掲示物の上から新しい掲示物を突き刺すことにより、前記掲示物を更新することができ、さらに、前記掲示用クリップに提示物の周囲を囲繞する額縁部を備えることによって、掲示物をより目立たせ、また興趣性に富むものとすることができる。
【００２０】
請求項２に記載の掲示用クリップによれば、請求項１に記載の掲示用クリップにおいて、前記保持針は、前記挟持基板の裏面から表面側に画鋲針を突出させて形成しているので、掲示用クリップに形成される前記保持針が、市販されている汎用の画鋲を用いることにより形成されるため、製造コストの低減を図ることができる。
【００２１】
請求項３に記載の掲示用クリップによれば、請求項１又は２に記載の掲示用クリップにおいて、前記挟持基板及び前記枠体は、画鋲にて壁面に取り付けられているので、前記壁面の取り付けを市販されている汎用の画鋲にて行うことができるので、取り付けが容易に、かつ、安価に行うことができる。
【００２２】
請求項４に記載の掲示用クリップによれば、請求項１乃至３の何れか一に記載の掲示用クリップにおいて、前記枠体の下辺に、前記掲示物を挟持する前記挟持基板及び前記押圧挟持板とを備えているので、前記掲示物の保持をより確実に行うことができる。
【００２３】
請求項５に記載の掲示用クリップによれば、請求項１乃至３の何れか一に記載の掲示用クリップにおいて、前記枠体の下辺に、前記掲示物を保持するストッパー部を備えているので、前記掲示物の保持をより確実に行うことができる。
【図面の簡単な説明】
【００２４】
【図１】本考案に係る掲示用クリップの斜視図である。
【図２】掲示用クリップの分解斜視図である。
【図３】掲示用クリップの正面図である。
【図４】掲示用クリップの背面図である。
【図５】（ａ）は掲示用クリップの平面図であり、（ｂ）は側面図である。
【図６】（ａ）は図３のＡ−Ａ線断面図であり、（ｂ）はＢ−Ｂ線断面図であり、（ｃ）はＣ−Ｃ線断面図であり、（ｄ）は（ａ）の要部断面図であり、（ｅ）は（ｂ）の要部断面図であり、（ｆ）は（ｃ）の要部断面図である。
【図７】クリップ部の開放状態を示す斜視図である。
【図８】（ａ）は上部クリップ部の開放状態を示す要部拡大断面図であり、（ｂ）は下部クリップ部の開放状態を示す要部拡大断面図である。
【図９】（ａ）は上部クリップ部の閉鎖状態を示す要部拡大断面図であり、（ｂ）は下部クリップ部の閉鎖状態を示す要部拡大断面図である。
【図１０】掲示用クリップの使用状態を示す斜視図である。
【図１１】掲示用クリップの使用状態を示す斜視図である。
【図１２】第２実施形態の掲示用クリップの斜視図である。
【図１３】第２実施形態の掲示用クリップ図の分解斜視図である。
【図１４】第２実施形態の掲示用クリップの正面図である。
【図１５】第２実施形態の掲示用クリップの背面図である。
【図１６】第２実施形態の下部クリップ部を閉鎖した状態を示す斜視図である。
【図１７】第２実施形態の下部クリップ部の部分分解斜視図である。
【図１８】第２実施形態の使用状態を示す斜視図である。
【考案を実施するための最良の形態】
【００２５】
以下、本考案に係る掲示用クリップを実施するための最良の形態について、図面に従って説明する。
【００２６】
第１実施形態
【００２７】
図１乃至図１１は本考案に係る掲示用クリップの第１の実施形態を示す図であり、図１は本考案に係る掲示用クリップの斜視図であり、図２は掲示用クリップの分解斜視図であり、図３は掲示用クリップの正面図であり、図４は掲示用クリップの背面図であり、図５（ａ）は掲示用クリップの平面図であり、図５（ｂ）は側面図であり、図６（ａ）は図３のＡ−Ａ線断面図であり、図６（ｂ）はＢ−Ｂ線断面図であり、図６（ｃ）はＣ−Ｃ線断面図であり、図６（ｄ）は図６（ａ）の要部断面図であり、図６（ｅ）は図６（ｂ）の要部断面図であり、図６（ｆ）は図６（ｃ）の要部断面図である。
【００２８】
また、図７はクリップ部の開放状態を示す斜視図であり、図８（ａ）は上部クリップ部の開放状態を示す要部拡大断面図であり、図８（ｂ）は下部クリップ部の開放状態を示す要部拡大断面図であり、図９（ａ）は上部クリップ部の閉鎖状態を示す要部拡大断面図であり、図９（ｂ）は下部クリップ部の閉鎖状態を示す要部拡大断面図である。
【００２９】
図１乃至図９に示すように、１０は本考案に係る掲示用クリップであり、前記掲示用クリップ１０は、上辺と下辺にそれぞれクリップ部２０，２０を備える長方形の枠体３０から構成されている。
【００３０】
前記クリップ２０は、長方形板状の短辺下部に連結用に両側に夫々張り出した連結アーム２２，２２を備えて全体として略凸状に合成樹脂にて成形される挟持基板２１と、前記挟持基板の上方に、Ｕ字状板バネ２９を介して、挟持状態に付勢するように取り付けられる長方形板状に、合成樹脂にて成形される押圧挟持板２５とから構成される。
【００３１】
前記挟持基板２１は、市販されている汎用の画鋲を壁面固定用画鋲２３として使用して掲示板等の壁面に取り付けられるものであり、前記連結アーム２２，２２には前記壁面固定用画鋲２３のピン２３ａを差し込むためのピン孔２８ａと前記壁面固定用画鋲２３の画鋲頭２３ｂを受け入れる画鋲頭孔２８ｂとが夫々設けられている。
【００３２】
さらに、前記挟持基板２１は、市販されている汎用の画鋲を掲示物保持用画鋲２４として使用して、前記掲示物保持用画鋲２４のピン２４ａを保持針２４ａとして形成するものであり、前記挟持基板２１の裏面における適宜位置には、前記掲示物保持用画鋲２４のピン２４ａを差し込むためのピン孔２８ｃと前記掲示物保持用画鋲２４の画鋲頭２４ｂを受け入れる画鋲頭孔２８ｄとが夫々設けられている。
【００３３】
前記挟持基板２１と前記押圧挟持板２５とは、図８及び図９に詳細に示すように、夫々の上方（図８（ａ），図９（ａ）においては上方）又は下方（図８（ｂ），図９（ｂ）においては下方）に、縦断面三角形状の支承部２６，２６を突設させると共に、前記支承部２６，２６を跨いで挟圧するＵ字状板バネ２９を固定するための板バネ差込孔２７，２７を夫々穿設している。そして、前記挟持基板２１の前記支承部２６の頂点には凹状の支承凹部２６ａを凹設すると共に、前記押圧挟持板２５の前記支承部２６の頂点には、前記支承凹部２６ａと符合するように凸状の支承凸部を突設させており、これにより、前記押圧挟持板２５の開閉の支点を形成している。
【００３４】
また、前記挟持基板２１と前記押圧挟持板２５とは、図８及び図９に詳細に示すように、夫々の下方（図８（ａ），図９（ａ）においては下方）又は上方（図８（ｂ），図９（ｂ）においては上方）に、前記掲示部を挟持押圧する挟持部Ｘを設けているのである。
【００３５】
そして、前記押圧挟持板２５の一端（先端）には、掲示物Ｐを挟持押圧するための押圧面２５ａを備えた押圧突部２５ｂを突設すると共に、前記押圧突部２５ｂには、後述する掲示物保持用画鋲２４の保持針２４ａを受け入れるピン受入孔２５ｃを設けている。
【００３６】
前記枠体３０は、図２に詳細に示すように、略Ｌ字形状又は略逆Ｌ字形状からなる合成樹脂で成形されたフレーム３０ａ，３０ｂ，３０ｃ，３０ｄを組み合わせて全体として長方形状に形成するものであって、前記挟持基板２１の側面と連結する水平連結アーム３１ａ，３１ｂ，３１ｃ，３１ｄと、前記水平連結アーム３１ａ，３１ｂ，３１ｃ，３１ｄから夫々直角方向に延びる垂直アーム３２ａ，３２ｂ，３２ｃ，３２ｄとを、夫々備えており、前記垂直アーム３ａと３２ｄの先端及び３２ｂと３２ｃの先端は、夫々突き合わせ可能なように、ほぞ状に形成されている。
【００３７】
また、前記フレーム３０ａ，３０ｂ，３０ｃ，３０ｄの直角に曲がった枠内側コーナーと前記垂直アーム３２ａ，３２ｂ，３２ｃ，３２ｄの内側には、夫々前記壁面固定用画鋲２３を差し込むための薄幅のリブ３３ａ，３３ｂ，３３ｃ，３３ｄを枠内側に向けて突設してあり、また、前記リブ３３ａ，３３ｂ，３３ｃ，３３ｄには、夫々前記壁面固定用画鋲２３を差し込むためのピン孔２８ａと前記壁面固定用画鋲２３の画鋲頭を受け入れる画鋲頭孔２８ｂとが設けられている。
【００３８】
前記枠体３０は、前記枠体３０内の内法を、予め規格されている前記掲示物Ｐの寸法（Ｂ５，Ｂ４，Ａ４，Ａ３等の用紙の寸法）と符合する大きさで形成している。
【００３９】
そして、前記画鋲２４のピン（保持針）２４ａの垂直方向における位置は、前記掲示物Ｐを確実に保持するために、前記枠体３０の内側に臨出するような位置としており、さらに、前記画鋲２４のピン（保持針）２４ａは、前記掲示物Ｐを確実に保持するため、水平方向に所定距離を離間させて２箇所に設けられている。
【００４０】
図１０及び図１１は掲示用クリップの使用状態を示す斜視図である。
【００４１】
前記掲示用クリップ１０は、以上の構成からなるため、前記掲示物Ｐを掲示する場合は、例えば、先ず、図１０に示すように、前記枠体３０の上辺に設けられた前記クリップ部２０の上部を押圧して、前記挟持部Ｘを開放した状態で、前記掲示物Ｐの上辺を前記枠体３０の上辺内側に併せて配置し、前記挟持部Ｘを閉鎖して、前記掲示物Ｐの上辺を固定する。
【００４２】
次に、前記枠体３０の下辺に設けられた前記クリップ部２０の下部を押圧して、前記挟持部Ｘを開放して、前記掲示物Ｐの下辺を前記枠体３０内に固定するのである。
【００４３】
このように、前記掲示物Ｐを前記クリップ部２０，２０によって、前記枠体３０内に固定しているので、前記掲示用クリップに依ると、前記保持針２４ａに突き刺されて保持された前記掲示物Ｐは、さらに、前記押圧面２５ａにて押圧挟持され、前記掲示用クリップ１０から容易に離脱することなく、確実に前記提示物Ｐが保持されると共に、前記保持針２４ａを前記挟持基板２１から表面側に突出させているので、前記提示物Ｐを重ねて前記保持針２４ａに突き刺して、前記押圧面２５ａにて押圧挟持して前記提示物Ｐをいちいち取り外すことなく、前記掲示物Ｐの上から新しい掲示物を突き刺すことにより、前記掲示物Ｐを更新することができる。
【００４４】
また、前記保持針２４ａは、前記挟持基板２１の裏面から表面側に前記掲示物保持用画鋲２４のピン２４ａを突出させて形成しているので、前記掲示用クリップ１０に形成される前記保持針２４ａが、市販されている汎用の画鋲２４を用いることにより形成されるため、製造コストの低減を図ることができる。
【００４５】
また、前記掲示用クリップ１０は、前記挟持基板２１と連結されると共に、前記掲示物Ｐを囲繞する前記枠体３０を備えているので、前記掲示用クリップ１０に前記提示物Ｐの周囲を囲繞する額縁部（前記枠体３０）を備えるようになり、前記掲示物Ｐをより目立たせ、また興趣性に富むものとすることができる。
【００４６】
また、前記掲示用クリップの前記挟持基板２１及び前記枠体３０は、前記掲示板取付用画鋲２３にて、掲示板等の壁面に取り付けられているので、前記壁面の取り付けを市販されている汎用の画鋲２３にて行うことができるので、取り付けが容易に、かつ、安価に行うことができる。
【００４７】
さらに、掲示用クリップの前記枠体３０の下辺に、前記掲示物Ｐを挟持する前記挟持基板２１及び前記押圧挟持板２５とを備えているので、前記掲示物Ｐの保持をより確実に行うことができる。
【００４８】
第２実施形態
【００４９】
図１２乃至図１８は、第２の実施形態に係る掲示用クリップを示す図であり、図１２は第２実施形態の掲示用クリップの斜視図であり、図１３は第２実施形態の下部クリップ図の分解斜視図であり、図１４は第２実施形態の掲示用クリップの正面図であり、図１５は第２実施形態の掲示用クリップの背面図であり、図１６は第２実施形態の下部クリップ部を閉鎖した状態を示す斜視図であり、図１７は第２実施形態の下部クリップ部の部分分解斜視図であり、図１８は第２実施形態の使用状態を示す斜視図である。
【００５０】
なお、第実施形態に係る掲示用クリップ５０において、第１実施形態に係る掲示用クリップ１０と同様の構成部分については、同一の符号を付して説明を省略する。
【００５１】
図中４０は、第２の実施形態に係る掲示用クリップであり、前記掲示用クリップ４０は、前記枠体３０の下辺に前記掲示物Ｐを押さえるためストッパー５０を設けている。前記ストッパー５０は、合成樹脂から成型される長楕円形状の板材であり、長手方向の一端を前記枠体３０に軸支し、水平方向から垂直方向に回動自在に支持されており、水平方向に回動した状態において、前記枠体３０内に収納されように形成されると共に、垂直方向に回動した状態で、他端を前記枠体３０の内方に臨出するように形成し、前記掲示物Ｐを前記枠体３０内からはみ出さないように押圧するように形成されている。
【００５２】
なお、第１実施形態の掲示用クリップ１０の前記枠体３０は４分割としたが、第２実施形態の前記枠体３０は二分割（３０ｅ，３０ｆ）として、夫々水平連結アーム３１ｅ，３１ｆ及び垂直アーム３２ｅ，３２ｆを設けると共にリブ３３ｅ，３３ｆを枠内内方に向けて突設させている。
【００５３】
以上のように形成された前記掲示用クリップ４０によれば、前記枠体３０の下辺に、前記掲示物Ｐを保持するストッパー部５０を備えているので、前記掲示物Ｐの保持をより確実に行うことができる。
【符号の説明】
【００５４】
１０      掲示用クリップ（第１実施形態）
２０      クリップ部
２１      挟持基板
２２      連結アーム
２３      掲示板取付用画鋲
２３ａ    掲示板取付用画鋲ピン
２３ｂ    掲示板取付用画鋲頭
２４      掲示物保持用画鋲
２４ａ    掲示物保持用画鋲ピン（保持針）
２４ｂ    掲示物保持用画鋲頭
２５      押圧挟持板
２５ａ    押圧面
２５ｂ    押圧突部
２５ｃ    ピン受入孔
２６      支承部
２６ａ    支承凹部
２６ｂ    支承凸部
２７      板バネ差込孔
２８ａ    ピン孔（壁面固定用）
２８ｂ    画鋲頭孔（壁面固定用）
２８ｃ    ピン孔（保持針用）
２８ｄ    画鋲頭孔（保持針用）
２９      Ｕ字状板バネ
３０      枠体
３０ａ〜３０ｆ    フレーム
３１ａ〜３１ｆ    水平連結アーム
３２ａ〜３２ｆ    垂直アーム
３３ａ〜３３ｆ    リブ
４０    掲示用クリップ（第２実施形態）
５０    ストッパー
Ｘ    挟持部
Ｐ    掲示物
【図１】
0003193560.tif 000003
【図２】
0003193560.tif 000004
【図３】
0003193560.tif 000005
【図４】
0003193560.tif 000006
【図５】
0003193560.tif 000007
【図６】
0003193560.tif 000008
【図７】
0003193560.tif 000009
【図８】
0003193560.tif 000010
【図９】
0003193560.tif 000011
【図１０】
0003193560.tif 000012
【図１１】
0003193560.tif 000013
【図１２】
0003193560.tif 000014
【図１３】
0003193560.tif 000015
【図１４】
0003193560.tif 000016
【図１５】
0003193560.tif 000017
【図１６】
0003193560.tif 000018
【図１７】
0003193560.tif 000019
【図１８】
0003193560.tif 000020